(57)【要約】【課題】軽量なポンプでも駆動時において面開きによる漏れを生じることがなく、また、低水位排水時にも水冷効果が保持される、着脱式水中ポンプの着脱装置を提供する。【解決手段】着脱ベンド２に開設された側開型の連接口３と、ガイドステム４に沿って昇降自在のポンプ本体５におけるポンプ吐出口６とが、懸装機構を介して離接自在に接合する着脱式水中ポンプにおいて、ポンプ本体５が垂直状ないし水平状に姿勢変更ができるよう、ヒンジピン１６によって前記懸装機構へ枢着させ、垂直姿勢で槽内へ下降したポンプ本体５が前記枢着部１０を支点として水平姿勢に変換され、その荷重による押圧モーメントを受けて前記連接口３とポンプ吐出口６とが接合状態となり、ポンプ本体５の引き揚げ時には前記枢着部１０を支点としてポンプ本体５が垂直姿勢に変換され、前記連接口３とポンプ吐出口６との接合面が分断されるよう構成した。【選択図】        図２
2006037833.tif 000002
【特許請求の範囲】
【請求項１】
吐出導管の槽内固定部（着脱ベンド）に開設された側開型の連接口と、ガイドステムに沿って昇降自在のポンプ本体におけるポンプ吐出口とが、懸装機構を介して離接自在に接合する着脱式水中ポンプにおいて、槽内に立設されたガイドステムと係合して昇降自在の摺動体より導出されたアームの先端をポンプ本体への枢着部に形成し、ポンプ吐出口の周辺に突設された枢着座を前記アーム先端の枢着部にヒンジピンにより枢着させ、該枢着部を支点としてポンプ本体が垂直状ないし水平状に姿勢変更できるよう構成し、吐出導管の槽内固定部（着脱ベンド）における連接口のフランジ上縁背面に係止する係止爪を前記アームより導下させ、ポンプ本体の水平姿勢保持用突子を前記アームに設けると共に該突子の当接面と離接自在に対向する当接体を前記枢着座に設け、ポンプ本体が垂直姿勢で槽内へ下降し前記係止爪が前記連接口のフランジ上縁背面へ係止したとき、前記枢着部を支点としてポンプ本体が水平姿勢に変換されその荷重によって連接口とポンプ吐出口とが接合状態となり、当接体の当接面が水平姿勢保持用突子の当接面に当接してポンプ本体の水平姿勢を安定させ、ポンプ本体のヘッド部に繋着された吊り具により引き揚げて係止爪をフランジ上縁背面から離脱させることで枢着部を支点としてポンプ本体が垂直姿勢に変換され、水平姿勢保持用突子の当接面から当接体が離隔すると共に連接口とポンプ吐出口との接合が分断されるよう構成したことを特徴とする、着脱式水中ポンプの着脱装置。
【請求項２】
ポンプ本体の水平姿勢保持用突子の当接面には、当接体の当接面との当接状態を微調整するための調整機構が付設されていることを特徴とする、請求項１記載の着脱式水中ポンプの着脱装置。
【発明の詳細な説明】
【技術分野】
【０００１】
本発明は、着脱式水中ポンプの着脱装置に関するものである。
【背景技術】
【０００２】
従来より、着脱式水中ポンプは、開口部の小さなピット内に設置する必要から、全て垂直姿勢に保持されるよう構成されている。そしてピット内に固定された着脱ベンドとガイドステムに沿って昇降自在のポンプ本体との離接を容易に行わせるため、着脱ベンドにおける連接口のフランジ上縁背面を傾斜状のスライドガイド面に形成し、着脱ベンドとポンプ本体との接合時において、ポンプ吐出口の外周上縁から導下された下向きの係止爪が、前記傾斜状のスライドガイド面へ係止するよう構成されている（例えば、特許文献１参照）。
【０００３】
上述のように従来の着脱式水中ポンプは立型構成であって、ポンプ本体の重心点が係止爪の係止位置よりも可也上方にあって不安定であり、且つ、係止爪からポンプ後端部までの距離が短いため、着脱ベンドの連接口とポンプ吐出口との衝合面に作用する押圧力は小さく、ポンプ運転時における吐出圧の反力によりポンプ本体部分が浮き上り易い。特に近年、樹脂化等に伴うポンプの軽量化に起因して、運転時における吐出圧が大きい場合に、係止している下向きの係止爪が、傾斜状のスライドガイド面を摺り上がる方向に力が働くためポンプ本体が浮き上り、衝合面が面開きして漏れを生じることになる。また、ピット内が低水位の場合にはモータ部が水面上へ露出するため水冷効果を生じることがない。
【特許文献１】特開２００２−２０２０８５号公報  （図１）
【発明の開示】
【発明が解決しようとする課題】
【０００４】
解決しようとする課題は、樹脂化等による軽量なポンプでも駆動時において面開きによる漏れを生じることがなく、また、ピット内の水位が低水位状態であっても、ポンプ吸込み可能水位であればモータ部は常に揚液と接水して水冷効果が保持される、着脱式水中ポンプの着脱装置を提供することである。
【課題を解決するための手段】
【０００５】
本発明では、吐出導管の槽内固定部（着脱ベンド）に開設された側開型の連接口と、ガイドステムに沿って昇降自在のポンプ本体におけるポンプ吐出口とが、懸装機構を介して離接自在に接合する着脱式水中ポンプにおいて、ポンプ本体が垂直状ないし水平状に姿勢変更ができるよう、ヒンジピンによって前記懸装機構へ枢着させ、垂直姿勢で槽内へ下降したポンプ本体が前記枢着部を支点として水平姿勢に変換され、その荷重による押圧モーメントを受けて前記連接口とポンプ吐出口とが接合状態となり、ポンプ本体の引き揚げ時には前記枢着部を支点としてポンプ本体が垂直姿勢に変換され、前記連接口とポンプ吐出口との接合面が分断されるよう構成したことを、最も主要な特徴とする。
【発明の効果】
【０００６】
本発明によれば、ポンプ本体部分を槽内へ下降させるとき、および槽外へ引き揚げるときに垂直姿勢となるため、開口部の小さな槽内への設置も容易に行われる。そして、槽底部の着脱ベンドと接合されたときはポンプ本体が水平姿勢に変換されるため、槽内が低水位となった場合でもモータ部が水没状態のため水冷効果が持続される。また、水平姿勢となることによってポンプ重心が枢着部よりも下方に位置するため安定性に優れ、且つ、枢着部からポンプ後端までの距離が長くなるため接合面にはポンプ荷重による押圧モーメントが強く作用する。従って、軽量化されたポンプであっても駆動時の吐出圧による浮き上りや面開きを確実に防止することができるという利点がある。
【発明を実施するための最良の形態】
【０００７】
吐出導管の槽内固定部（着脱ベンド）に開設された側開型の連接口と、ガイドステムに沿って昇降自在のポンプ本体におけるポンプ吐出口とが、懸装機構を介して離接自在に接合する着脱式水中ポンプにおいて、槽内に立設されたガイドステムと係合して昇降自在の摺動体より導出されたアームの先端をポンプ本体への枢着部に形成し、ポンプ吐出口の周辺に突設された枢着座を前記アーム先端の枢着部にヒンジピンにより枢着させ、該枢着部を支点としてポンプ本体が垂直状ないし水平状に姿勢変更できるよう構成し、吐出導管の槽内固定部（着脱ベンド）における連接口のフランジ上縁背面に係止する係止爪を前記アームより導下させ、ポンプ本体の水平姿勢保持用突子を前記アームの側方に凸設すると共に該突子の下面と離接自在に対向する当接体を前記枢着座の前縁部に凸設し、ポンプ本体が垂直姿勢で槽内へ下降し前記係止爪が前記連接口のフランジ上縁背面へ係止したとき、前記枢着部を支点としてポンプ本体が水平姿勢に変換されその荷重によって連接口とポンプ吐出口とが接合状態となり、当接体の上面が水平姿勢保持用突子の下面に当接してポンプ本体の水平姿勢を安定させ、ポンプ本体のヘッド部に繋着された吊り具により引き揚げて係止爪をフランジ上縁背面から離脱させることで枢着部を支点としてポンプ本体が垂直姿勢に変換され、水平姿勢保持用突子の下面から当接体が離隔すると共に連接口とポンプ吐出口との接合が分断されるよう構成する。そして、前記水平姿勢保持用突子の下面には、当接体の上面との当接状態を微調整するための調整機構を付設する。
【実施例１】
【０００８】
実施例の図面において、１は吐出導管、２は吐出導管１の槽内固定部（着脱ベンド）、３は槽内固定部に開設された側開型の連接口、４は槽内に立設されたガイドステム、５はガイドステムに沿って昇降自在のポンプ本体、６はポンプ本体５におけるポンプ吐出口であり、ポンプケーシング７の一側部より導出されて、図１の垂直姿勢では下向開口状に開口しており、図２の水平姿勢では横向開口状に開口した状態で前記連接口３と離接自在に対向する。８はガイドステム４と係合して昇降自在の摺動体であり、該摺動体８より導出されたアーム９の先端をポンプ本体５への枢着部１０に形成すると共に、前記連接口３のフランジ上縁背面１１に係止する係止爪１２を導下させ、また、アーム９の側方にはポンプ本体５の水平姿勢保持用突子１４を凸設する。１５はポンプ吐出口６の周辺に突設された枢着座であり、前記アーム９先端の枢着部１０にヒンジピン１６を挿通して枢着させ、該枢着部１０を支点としてポンプ本体５が垂直状ないし水平状に姿勢変更できるよう構成する。１７は前記水平姿勢保持用突子１４の下面と離接自在に対向するよう枢着座１５の前縁部に凸設された当接体である。
【０００９】
ポンプ本体５が垂直姿勢で槽内へ下降し係止爪１２が連接口３のフランジ上縁背面１１へ係止したとき、枢着部１０を支点としてポンプ本体５が水平姿勢に変換されその荷重によって連接口３とポンプ吐出口６とが接合状態となり、当接体１７の上面が水平姿勢保持用突子１４の下面に当接してポンプ本体５の水平姿勢を安定させる。ポンプ本体５のヘッド部に繋着された吊り具１８により引き揚げて係止爪１２をフランジ上縁背面１１から離脱させることで枢着部１０を支点としてポンプ本体５が垂直姿勢に変換され、水平姿勢保持用突子１４の下面から当接体１７が離隔すると共に連接口３とポンプ吐出口６との接合が分断されるので、この垂直姿勢状態でポンプ本体５を槽外へ引き揚げることができる。
【実施例２】
【００１０】
実施例１の構成を前提として、ポンプ本体５の水平姿勢保持用突子１４の下面に、例えば調整用ボルト１９の回動操作よって、当接体１７の上面との当接状態を微調整するための調整機構２０を付設する。
【図面の簡単な説明】
【００１１】
【図１】本発明装置を備えた着脱式水中ポンプの設置下降時および引き揚げ時の着脱ベンドから離脱した状態を示す側面図である。
【図２】本発明装置を備えた着脱式水中ポンプの設置状態を示す側面図である。
【図３】本発明装置の要部拡大側面図である。
【図４】本発明装置における摺動体の側面図である。
【図５】本発明装置におけるポンプ吐出口部分の側面図である。
【図６】本発明装置の要部拡大側面図であって、水平姿勢保持用突子に微調整機能を付設した事例を示す。
【符号の説明】
【００１２】
１      吐出導管
２      槽内固定部（着脱ベンド）
３      連接口
４      ガイドステム
５      ポンプ本体
６      ポンプ吐出口
８      摺動体
９      アーム
１０      枢着部
１１      フランジ上縁背面
１２      係止爪
１４      水平姿勢保持用突子
１５      枢着座
１６      ヒンジピン
１７      当接体
１８      吊り具
２０      調整機構
【図１】
2006037833.tif 000003
【図２】
2006037833.tif 000004
【図３】
2006037833.tif 000005
【図４】
2006037833.tif 000006
【図５】
2006037833.tif 000007
【図６】
2006037833.tif 000008